(57)【要約】      （修正有）【課題】美容院それに類する技術一般に使用される綿タオルを使い易く、使用後の処理が便利、収納スペースを小さくします。【解決手段】１．素材を、化学繊維にするか、綿と化学繊維の混紡にします。２．カット用、パーマ用、ヘアーダイ用、トリートメント用、首周りにクロス下用に巻くもの等の、用途に合わせたサイズにカットします。３．一部タオルペーパーにし、つかい捨てにします。これにより、洗濯に耐え、かつ肌にさわりが良く水分の吸収の良さと、洗濯時の脱水、乾燥の時間短縮も図ります。【選択図】図１
0003105664.tif 000002
【実用新案登録請求の範囲】
【請求項１】
綿と化学繊維の混紡の布をメッシュ織りにした布と縫い合わせて、従来美容室にて使用の綿タオルに替わる考案品です．
【請求項２】
ペーパータオルを美容一般の技術に必要なサイズに切り、合成繊維のメッシュ織りの布を袋状にして、その間に、ペーパータオルを入れて使用します．考案品です．
【請求項３】
ペーパータオルの一部にビニールラップを貼ったものを技術に応じて、そのサイズを切り、メッシュ織りの合成繊維と合わせて、使用します．考案品です．
【考案の詳細な説明】
【０００１】
【考案の属する技術分野】
美容院一般頭髪技術施行に、使用する綿タオルに替わる考案品。
【０００２】
【従来の技術】
従来のものは、綿１００％のタオルを使用していました。
一般のタオルのサイズは、縦      ｃｍ、横    ｃｍのものが主です。
【０００３】
【考案が解決しようとする課題】
全ての美容技術における作業過程では、綿タオルの使用です。
１．洗濯の際に、水量、洗剤、柔軟材が、考案品より余分に必要です。
２．乾きが悪い綿タオルは、水を含むと重量が増し、絞っても３倍の重さになります。
３．タオルを干すために、広いスペースが必要になります。
４．理美容院従業者の、タオルを干す手間、収容することに時間がかかります。
５．綿タオルは、作業場においても、収納場所に考案品よりスペースが必要です。
６．綿タオルは、洗濯するほどに風合いを失い、また、カラータオルは、薬剤に犯されやすく、変色しやすくなります。
７．理美容院従業者は、使用済みタオルの処理洗濯が、日常の就業の中で、重労働になる店舗もあります。
８．理美容院の来客者の施行は、パーマ、ヘアカラーともに長時間に渡り、首周りやフェイスラインに、綿タオルを巻くために、血流を圧迫され、疲労感を受けやすくなります。
９．理美容院従業者の初心者は、綿タオルをフェイスラインに巻くことが、時折り難しく、施術中に頭からタオルが落ちることや、液が顔に流れ出たり、目の中に入ることもあります。
【０００４】
【課題を解決するための手段】
１．１００％綿タオルの素材を、化学繊維にするか、綿と化学繊維にします。
２．多種の技術に必要なサイズにそれぞれ改め、カット用、パーマ用、ヘアダイ用、トリートメント用、首周りにクロスの下に巻くなど、用途に合わせて作成します。
３．一部タオルペーパーを、使い捨てにすることで、衛生的で、さらに処理、収納作業を簡易にすることができます。
４．考案品は、洗濯に耐え、かつ肌にさわりが良い方法をとるため、綿と化学繊維混紡のものを合わせ縫いし、水分の吸収の良さと、洗濯時の脱水と乾燥の時間短縮も図ります。
【０００５】
【考案の実施の形態】
１．考案品は、綿と化学繊維の混紡のため、洗濯時の水量、洗剤、柔軟材が少量で済みます。
２．考案品は、乾きやすい合成繊維を使用するため、水の含有量が少なく、脱水の早さに優れています。
３．考案品は、綿タオルより軽量で、無駄な部分を省いた小さいサイズなので、干すこと、収納することとの両面で、手間を省くことが出来ます。
４．綿タオルの使用に替わる使用と、綿タオルより使いやすい形の考案により、理美容院従業者の、肉体的負担の軽減になります。
５．考案品は頻繁な洗濯に耐え、薬剤にも犯されにくいため、風合いを失わず、退色もし難くくなります。
６．一部ペーパータオルの併用は、乾きやすく、また軽量のため、理美容室従業者の労働を軽減します。
７．来客者の首周り、あご周りに負担がかからない軽さで、締め付けずに液だれを防げます。
【０００６】
【実施例】
１．パーマ用のネック（襟元）に対し、パーマー液、二液の液だれ防止のため、タオルペーパーと共に併用する場合、または各施術用に作成した化学繊維との混紡品を使用します。
２．パーマ用のクロスの上に、パーマー液、二液の液だれを受けるために、施術の内容に合わせたものを、肩から掛け使用します。またタオルペーパーと併用することも出来ます。
３．パーマ施術の際の一液、二液処理のため、フェイスライン、顔面、毛髪、生え際に対して、タオルペーパーを併用、布でくるんで、ターバン状に巻きます。長方形の布１／３は、綿と化学繊維の合成です。
４．ヘアカラー施術の際に、首にヘアカラー液の浸透を防ぐための、ガードとして巻きます。サイズが大、中、小の長方形の布を、考案品として使用します。
５．ヘアカラー施術の際に、ヘアダイクロスの上に、液だれ受けとして、肩に掛けます。サイズは施術に応じて、各種考案品で作成します。大、中、小タオルペーパーと併用して使用します。
６．ヘアダイ施術の終了後、頭を覆って施術者の次の動作に移る時、頭部にくるみます。
【０００７】
【考案の効果】
１．液だれをペーパータオル、また、綿と化学繊維の混紡布で作成した部分が吸収し作業がしやすくなります。
２．布が軽いため、来客者の肉体的負担が軽く、評判が良いです。
３．布が軽いため、従業者の作業が軽減されました。
４．作業過程が楽になり、さらに、収納の手間が早く簡単になりました。
５．収納スペースが従来のタオルの１／１０程度になりました。
６．従業者が初心者であっても、技術施術中の作業が簡単になりました。
【図面の簡単な説明】
【図１】液ダレ防止布の表面図
【図２】液ダレ防止布の裏面図
【図３】ペーパータオルの表面図
【図４】横面の液ダレ防止図
【符号の説明】
１．綿混紡の布
２．合成織維メッシュ布部分
３．縫い目
４．裏面メッシュ布部分
５．ビニールラップ部分
６．ペーパータオル部分
７．クロス合成繊維メッシュ部
８．綿合繊維部分
９．縫い目
【図１】
0003105664.tif 000003
【図２】
0003105664.tif 000004
【図３】
0003105664.tif 000005
【手続補正書】
【提出日】平成15年1月24日(2003.1.24)
【手続補正１】
【補正対象書類名】明細書
【補正対象項目名】実用新案登録請求の範囲
【補正方法】変更
【補正の内容】
【実用新案登録請求の範囲】
【請求項１】
綿と化学繊維の混紡の布をメッシュ織りにした布と縫い合わせて、従来美容室にて使用の綿タオルに替わる液ダレ防止布です。
【請求項２】
ペーパータオルを美容一般の技術に必要なサイズに切り、合成繊維のメッシュ織りの布を袋状にして、その間に、ペーパータオルを入れて使用します。液ダレ防止ターバンです。
【請求項３】
ペーパータオルの一部にビニールラップを貼ったものを、技術に応じて、そのサイズを切り、メッシュ織りの合成繊維と合わせて使用します。液ダレ防止ターバンです。
【手続補正２】
【補正対象書類名】明細書
【補正対象項目名】図４
【補正方法】削除
【補正の内容】
【手続補正書】
【提出日】平成15年5月27日(2003.5.27)
【手続補正１】
【補正対象書類名】明細書
【補正対象項目名】実用新案登録請求の範囲
【補正方法】変更
【補正の内容】
【実用新案登録請求の範囲】
【請求項１】
綿と化学繊維の混紡の布をメッシュ織りにした布と縫い合わせて、従来美容室にて使用の綿タオルに替わる液ダレ防止布です。
【請求項２】
ペーパータオルを美容一般の技術に必要なサイズに切り、合成繊維のメッシュ織りの布を袋状にして、その間に、ペーパータオルを入れて使用します。
【請求項３】
ペーパータオルの一部にビニールラップを貼ったものを、技術に応じて、そのサイズを切り、メッシュ織りの合成繊維と合わせて使用します。
以上からなる、液ダレ防止ターバンです。
【手続補正２】
【補正対象書類名】明細書
【補正対象項目名】図４
【補正方法】削除
【補正の内容】
【手続補正書】
【提出日】平成15年9月29日(2003.9.29)
【手続補正１】
【補正対象書類名】明細書
【補正対象項目名】実用新案登録請求の範囲
【補正方法】変更
【補正の内容】
【実用新案登録請求の範囲】
【請求項１】
綿と化学繊維の混紡の布をメッシュ織りにした布と縫い合せて、従来美容室にて使用の綿タオルに替わる液ダレ防止布です。
【請求項２】
合成繊維のメッシュ織りの布を袋状に形成し、その袋の中に、必要な大きさに切断したペーパータオルを挿入した、液ダレ防止ターバン。
【請求項３】
ペーパータオルの一部にビニールラップを貼着した、液ダレ防止ターバン。